(57)【要約】【課題】リレーの電装品ユニットへの取り付けを容易に行うことができるようにする。【解決手段】圧縮機駆動用の電気部品を有する電装品ユニット５を含む室外機を備え、上記電装品ユニット５にリアクタ固定台１１を有するブラケット１０が取り付けられている空気調和機において、ブラケット１０には、リアクタ固定台１１に隣接してリレー２を固定するリレー固定台１３が設けられており、リレー固定台１３には、リレー２を固定する位置に保持する仮止め手段１３１（好ましくは切り起こし片からなる係止爪１３１ａ）が設けられている。【選択図】図２
2018119748.tif 000002
【特許請求の範囲】
【請求項１】
圧縮機駆動用の電気部品を有する電装品ユニットを含む室外機を備え、上記電装品ユニットにリアクタ固定台を有するブラケットが取り付けられている空気調和機において、
上記ブラケットには、上記リアクタ固定台に隣接してリレーを固定するリレー固定台が設けられており、上記リレー固定台には、上記リレーを固定する位置に保持する仮止め手段が設けられていることを特徴とする空気調和機。
【請求項２】
上記仮止め手段は、少なくとも上記リレーの上下２箇所を保持する係止爪を備えていることを特徴とする請求項１に記載の空気調和機。
【請求項３】
上記係止爪は、上記リレー固定台から切り起こされた爪であることを特徴とする請求項２に記載の空気調和機。
【発明の詳細な説明】
【技術分野】
【０００１】
本発明は空気調和機、特にはその室外機に関し、さらに詳しく言えば、電気部品の電装品ユニットへの取り付け構造に関するものである。
【背景技術】
【０００２】
室外機の電装品ユニットには、圧縮機を駆動するための種々の電気部品が設けられているが、その一つとしてリアクタがある。リアクタは、インバータにより圧縮機を駆動する際に発生するノイズを低減するために用いられるが、積層鉄心に銅線コイルを巻回した構造であることから比較的大型で重量もある。
【０００３】
そのため、多くの場合、リアクタは、電装品ユニットに金属製の専用ブラケットを介して固定される（例えば、特許文献１参照）。
【０００４】
ところで、図４に示すように、リアクタ１とともに大電流遮断用のリレー２を付設する場合、電装品ユニットのスペースは限られているため、リアクタ固定用のブラケット３にリレー固定台４を連設して、そこにリレー２をネジ止めするようにしている。
【０００５】
しかしながら、リレー２をブラケット３のリレー固定台４にネジ止めする場合、リレー２をリレー固定台４に押し当てて押さえながらネジ止めする必要があるため、作業性がよくない。
【先行技術文献】
【特許文献】
【０００６】
【特許文献１】特開平６−１３７６１０号公報
【発明の概要】
【発明が解決しようとする課題】
【０００７】
そこで、本発明の課題は、リレーの電装品ユニットへの取り付けを容易に行うことができるようにすることにある。
【課題を解決するための手段】
【０００８】
上記課題を解決するため、本発明は、圧縮機駆動用の電気部品を有する電装品ユニットを含む室外機を備え、上記電装品ユニットにリアクタ固定台を有するブラケットが取り付けられている空気調和機において、
上記ブラケットには、上記リアクタ固定台に隣接してリレーを固定するリレー固定台が設けられており、上記リレー固定台には、上記リレーを固定する位置に保持する仮止め手段が設けられていることを特徴としている。
【０００９】
本発明の好ましい態様によると、上記仮止め手段は、少なくとも上記リレーの上下２箇所を保持する係止爪を備えている。
【００１０】
また、上記係止爪は、上記リレー固定台から切り起こされた爪であることが好ましい。
【発明の効果】
【００１１】
本発明によれば、リレー固定台のリレーを固定する位置にリレーを保持する仮止め手段（好ましくはリレー固定台から切り起こされた係止爪）を設けたことにより、リレー固定台にリレーを固定するにあたって、リレーを押さえておく必要がなく、リレーの固定作業を容易に行うことができる。
【図面の簡単な説明】
【００１２】
【図１】本発明の実施形態で採用しているブラケットを示す斜視図。
【図２】上記ブラケットのリレー固定台にリレーを取り付ける状態を示す斜視図。
【図３】上記ブラケットにリアクタとリレーを固定した状態を示す正面図。
【図４】従来技術を示す斜視図。
【発明を実施するための形態】
【００１３】
次に、図１ないし図３により、本発明の実施形態について説明するが、本発明はこれに限定されるものではない。
【００１４】
図１ないし図３を参照して、本発明では、図１に示すブラケット１０を用いてリアクタ１とリレー２を電装品ユニット５に設置する。なお、図２には電装品ユニット５の一部のみが示されている。
【００１５】
ブラケット１０は好ましくは金属製であり、この実施形態では、図２に示すように、ブラケット１０は、電装品ユニット５の一部を構成する例えば室外機内を熱交換室と機械室とに仕切る仕切板５ａに取り付けられるが、これ以外の例えば上記機械室内の所定の支持部材（支持板）に取り付けられてもよい。
【００１６】
ブラケット１０には、リアクタ１を固定するリアクタ固定台１１と、リレー２を固定するリレー固定台１３とが含まれている。リアクタ固定台１１とリレー固定台１３は、１枚の金属板のプレス加工により一体に形成することができる。
【００１７】
この実施形態において、ブラケット１０の上部にリアクタ固定台１１が配置され、ブラケット１０の下部にリレー固定台１３が配置されているが、リアクタ固定台１１の上辺、リレー固定台１３の下辺およびリアクタ固定台１１とリレー固定台１３の間には、それぞれ、仕切板５ａ側に向けて折り曲げられた支持脚１０１，１０２，１０３が形成されており、これら支持脚１０１，１０２，１０３により、リアクタ固定台１１およびリレー固定台１３は、ともに仕切板５ａとの間で所定間隔の空隙が生ずるように仕切板５ａに取り付けられる。
【００１８】
リアクタ固定台１１の下方には、リアクタ１が有する四角形状の支持基板１ａの下辺両端が上方から嵌合される受け溝部１１１（１１１ａ，１１１ｂ）が左右２箇所に設けられている。
【００１９】
この例において、左側の受け溝部１１１ａと右側の受け溝部１１１ｂはともにプレス加工により四角台形状に形成されるが、左側の受け溝部１１１ａは、上辺および右側辺がリアクタ固定台１１から切り離されるように形成され、右側の受け溝部１１１ｂは、上辺および左側辺がリアクタ固定台１１から切り離されるように形成される。
【００２０】
リレー固定台１３には、リレー２を固定する位置に保持する仮止め手段１３１が設けられている。この実施形態において、仮止め手段１３１は、リレー固定台１３から切り起こされた係止爪１３１ａからなる。
【００２１】
この実施形態において、係止爪１３１ａは、リレー２をリレー２の筐体２ａの上面中央部の１箇所と、筐体２ａの下面の左右２箇所の合計３箇所で挟んで保持できる位置に配置されているが、少なくとも筐体２ａの上下２箇所で挟んで保持できる位置に配置されていればよい。
【００２２】
また、リレー２の筐体２ａの左右両側辺には耳板２ｂが一体に形成されており、その各々には、ほぼＵ字状をなすネジ挿通溝２ｃが形成されている。これ対応して、リレー固定台１３の左右２箇所には、リレー２をネジ止めするための雌ネジ孔１３２が設けられている。
【００２３】
このブラケット１０によれば、リアクタ１をリアクタ固定部１１にネジ止めすることができるとともに、リレー２をリレー固定部１３にネジ止めすることができるが、特にリレー２をリレー固定部１３にネジ止めする際、リレー２が係止爪１３１ａにより固定する位置に保持され、リレー２から両手を離してもリレー２が落下することがないため、リレー２を押さえながらネジ止めする必要がなくなり、リレーのネジ止め作業を容易に行うことができる。
【００２４】
また、リアクタ固定部１１およびリレー固定部１３は、その背面側が仕切り板５ａから離されているため放熱性にも優れている。
【符号の説明】
【００２５】
１  リアクタ
２  リレー
１０  ブラケット
１１  リアクタ固定部
１０１，１０２，１０３  支持脚
１１１  受け溝部
１１２  雌ネジ孔
１３    リレー固定部
１３１  仮止め手段
１３１ａ  係止爪
１３２  雌ネジ孔
【図１】
2018119748.tif 000003
【図２】
2018119748.tif 000004
【図３】
2018119748.tif 000005
【図４】
2018119748.tif 000006